(57)【要約】【課題】発泡飲料入りの容器に装着して使用することにより、その発泡飲料をグラスに注入する際に、クリ−ミーな泡をほどよく泡立たせて口当たりよく飲用することができる発泡飲料用泡立てサーバーを提供する。【解決手段】泡立てサーバー１は、ビールが収容された缶Ｃに装着してその缶Ｃ内の発泡飲料を受入れることが可能なキャップ状の本体２を備え、この本体２の一部には注入口１０が形成され、本体２内にはビールとの接触が可能なセラミック材料からなる泡立て部材１１が収納されている。缶Ｃ内のビールを飲用する際には、泡立てサーバー１をその缶Ｃに装着し、缶Ｃ内のビールを本体２内に受入れ、泡立て部材１１と接触させて注入口１０から流出させる。ビールが泡立て部材１１と接触することにより泡立ちが促進され、かつクリ−ミーな泡となって注入口１０から流出する。【選択図】　　図２
0003097541.tif 000002
【実用新案登録請求の範囲】
【請求項１】
発泡飲料が収容された容器に装着してその容器内の発泡飲料を受入れることが可能なキャップ状の本体を備え、この本体の一部には注入口が形成され、前記本体内には前記発泡飲料との接触が可能なセラミック材料からなる泡立て部材が収納され、前記発泡飲料を前記泡立て部材と接触させて前記注入口から流出させることが可能なことを特徴とする泡立て用サーバー。
【考案の詳細な説明】
【０００１】
【考案の属する技術分野】
この考案は、缶等の容器入りビールや発泡酒を飲用する際にその容器に取り付けて使用する泡立て用サーバーに関する。
【０００２】
【従来の技術】
家庭等で缶入りのビールや発泡酒を飲用する際には、その発泡飲料を缶から単にグラスに注入して飲用しているのが一般的である。ビールや発泡酒を飲用する際には、その注入時の泡立ちがよく、かつクリ−ミーな泡となることが口当たりよく飲用する点で望ましい。
【０００３】
【考案が解決しようとする課題】
しかしながら、単に缶から発泡飲料を直接グラスに注入してしまうと、泡立ちの量やクリ−ミーさが不足し、口当たりがあまりよくならない。
【０００４】
そこで、この考案は、発泡飲料が収容された容器に装着して使用することにより、その発泡飲料をグラスに注入する際に、クリ−ミーな泡をほどよく泡立たせて口当たりよく飲用することができる泡立て用サーバーを提供することを目的としている。
【０００５】
【課題を解決するための手段】
この考案の泡立て用サーバーは、発泡飲料が収容された缶等の容器に装着してその容器内の発泡飲料を受入れることが可能なキャップ状の本体を備え、この本体の一部には注入口が形成され、前記本体内には前記発泡飲料との接触が可能なセラミック材料からなる泡立て部材が収納されている。
【０００６】
容器に収容された発泡飲料を飲用する際には、泡立てサーバーをその容器に装着し、容器内の発泡飲料を本体内に受入れ、前記泡立て部材と接触させて前記注入口から流出させる。発泡飲料が泡立て部材と接触することにより泡立ちが促進し、かつクリ−ミーな泡となって注入口から流出する。
【０００７】
【考案の実施の形態】
以下、この考案の一実施形態について図面を参照して説明する。
図１には、発泡飲料としてのビールが収容された缶Ｃに泡立てサーバー１を取り付けた状態の側面図を、図２にはその取り付け部分の断面図をそれぞれ示してある。
【０００８】
泡立てサーバー１は、ドーム形をなすキャップ状の本体２を有し、この本体２の下面に底蓋３が取り付けられている。本体２は比較的硬質の合成樹脂で形成され、底蓋３は比較的軟質の合成樹脂で形成されている。
底蓋３は、環状の周壁部４と、この周壁部４の内側に水平に広がる底壁部５とを一体に有し、前記周壁部４を介して前記本体２が缶Ｃの上端部に脱着可能に取り付けられている。すなわち、前記周壁部４が缶Ｃの上端の外周縁に弾性的に圧入されている。そして前記底壁部５で缶Ｃの上端面が覆われている。
【０００９】
図３には底蓋３を上から見た平面図を示してあり、この図３に示すように、底蓋３の底壁部５には二つの開口６，７が形成されているとともに、さらにこの底壁部５の下面には前記開口６，７の相互間に位置して一対の位置決め用のピン８が一体に突出形成されている。
【００１０】
本体２の周面の一部には、図１および図２に示すように、その外方にほぼ水平に突出する注入口１０が一体に形成されている。また、本体２の内部には泡立て部材１１が収納されている。この泡立て部材１１は、表面が粗面状で適度な吸水性をもつセラミック材料（素焼の陶器）からなり、本体２の一部の内周面に対応する一定の厚さの球面状に形成され、その表面の一部にはピン１１ａが一体に突設されている。
【００１１】
この泡立て部材１１は前記注入口１０に対向するように本体２内に遊動自在に収納され、その遊動範囲を規制する規制部１２が本体２の内面に設けられている。そしてこの泡立て部材１１のピン１１ａが前記注入口１０内に遊挿されている。
【００１２】
缶Ｃは、図２および図３に示すように、その上端面にプルタブＣ１の引き上げにより開放可能な排出口Ｃ２を有し、この排出口Ｃ２に前記位置決めピン８を挿入して泡立てサーバー１を位置決めするようになっている。
【００１３】
缶Ｃ内のビールを飲用する際には、まずプルタブＣ１を引き上げて排出口Ｃ２を開放する。次に、泡立てサーバー１の周壁部４を缶Ｃの上端の外周縁に圧入して泡立てサーバー１を缶Ｃに取り付ける。
【００１４】
この際、泡立てサーバー１の位置決め用の一対のピン８を前記排出口Ｃ２内に挿入する。これにより排出口Ｃ２の向きと泡立てサーバー１の注入口１０の向きとが一致するように泡立てサーバー１が位置決めされる。
【００１５】
この後、泡立てサーバー１が下方を向くように缶Ｃを傾け、缶Ｃ内のビールを注入口１０を通してグラス内に注入する。この際、缶Ｃ内のビールは排出口Ｃ２から開口６，７を通して本体２内に流入し、さらにこの本体２から注入口１０を通してグラス内に流出する。
【００１６】
ビールが本体２内に流入した際には、ビールが泡立て部材１１の表面に接触する。泡立て部材１１の表面は粗面状で吸水性を有するため、その接触に応じてビールの泡立ちが促進され、かつその泡の粒子が細かくなってプリ−ミーとなり、この泡を含むビールがグラス内に注入される。
【００１７】
したがってグラス内にはビールの液の上にほどよい量のクリ−ミーな泡が溜まり、このため口当たりよく、そのビールを飲むことができる。
【００１８】
缶Ｃ内のビールをグラスに注入した後には、その缶Ｃから泡立てサーバー１を取り外し、次の缶Ｃに再度装着して泡立てサーバー１を繰り返し使用することができる。
【００１９】
また、この泡立てサーバー１はビール入りの容器に取り付けて使用する場合に限らず、発泡酒等の発泡飲料入りの容器に取り付けて使用することもできる。
【００２０】
【考案の効果】
以上説明したようにこの考案の泡立てサーバーよれば、発泡飲料入りの容器に装着して簡易に使用することができ、その使用により発泡飲料をグラスに注入する際に、クリ−ミーな泡をほどよく泡立たせて注入することができ、口当たりよくその発泡飲料を飲用することができる。
【図面の簡単な説明】
【図１】この考案の一実施形態に係る泡立てサーバーをビール入りの缶に装着したときの状態を示す側面図。
【図２】その泡立てサーバーの内部構造を示す断面図。
【図３】その泡立てサーバーにおける底蓋を上から見た平面図。
【符号の説明】
１…泡立てサーバー
２…本体
３…底蓋
４…周壁部
５…底壁部
６，７…開口
８…ピン
１０…注入口
１１…泡立て部材
１２…規制部
Ｃ…缶
Ｃ１…プルタブ
Ｃ２…排出口
【図１】
0003097541.tif 000003
【図２】
0003097541.tif 000004
【図３】
0003097541.tif 000005